(57)【要約】【課題】テレビ番組の放送番組情報を分野毎に提示する装置を提供する。【解決手段】番組情報蓄積手段１２に記憶した番組情報を分類単語記憶手段１４に記憶した番組の分野を示す単語で検索し、番組表提示手段１８に番組分野が識別出来る様に表示ないし分野別に番組を表示する。【選択図】図１
2004289861.tif 000002
【特許請求の範囲】
【請求項１】
番組の選択を補助する番組選択支援装置であって、
番組に対する番組情報の入力を行なう番組情報入力手段と、
前記入力した番組情報を蓄積する番組情報蓄積手段と、
１つ以上の番組の分野に対し、各分野に分類される１つ以上の単語を記憶する分類単語記憶手段と、
前記分類単語記憶手段に記憶された単語で蓄積された前記番組情報を検索する検索手段と、
前記検索手段の検索結果に基づき蓄積された前記番組情報が対応する番組の分野を確定する確定手段と、
番組の分野を指定する分野指定手段と、
前記指定された番組の分野に合致する番組情報を前記確定手段の確定結果に基づき選別する選別手段と、
前記選別手段により選別された番組情報に対応する番組名を表示する提示手段とを備え、
前記分野指定手段は、分野指定の入力が省略された場合には、曜日・時間帯毎に設定されたデフォルト値を指定分野とすることを特徴とする番組選択支援装置。
【請求項２】
前記分野指定手段は、さらに、番組の選局結果に基づき、選局された番組が対応する分野を収集する分野ログ部を備え、
分野指定が省略された場合に設定される曜日・時間帯毎のデフォルト分野値を、前記分野ログ部の収集結果に基づき設定することを特徴とする請求項１記載の番組選択支援装置。
【請求項３】
番組の選択を補助する番組選択支援装置であって、
番組に対する番組情報の入力を行なう番組情報入力手段と、
前記入力した番組情報を蓄積する番組情報蓄積手段と、
１つ以上の番組の分野に対し、各分野に分類される１つ以上の単語を記憶する分類単語記憶手段と、
前記分類単語記憶手段に記憶された単語で蓄積された前記番組情報を検索する検索手段と、
前記検索手段の検索結果に基づき蓄積された前記番組情報が対応する番組の分野を確定する確定手段と、
前記蓄積された番組情報に対応する番組名の表示を番組の分野が異なれば異なる表示態様で行う提示手段と
を備えることを特徴とする番組選択支援装置。
【請求項４】
前記分類単語記憶手段は、さらに、各分野に分類される単語に対し当該分野における単語分類加重値を有し、
前記確定手段は、さらに、番組に対する分類加重値である番組分類加重値を、当該番組の前記番組情報に含まれる単語の当該分野における単語分類加重値に基づき求め、
前記提示手段による番組名の表示態様は、番組の分野が同一な場合は、共通の部分要素を含み、かつ、前記番組分類加重値の異なりに対応して異なる部分要素をも含むことを特徴とする請求項１記載の番組選択支援装置。
【請求項５】
前記提示手段は、前記蓄積された番組情報に対応する番組名の表示を番組の分野が同一であれば同系色の表示態様で表示し、かつ、表示態様の色の濃淡は、前記番組分類加重値に対応して異なることを特徴とする請求項４記載の番組選択支援装置。
【請求項６】
番組の選択を補助する番組選択支援装置の番組選択支援方法であって、
番組に対する番組情報の入力を行なう番組情報入力ステップと、
前記入力した番組情報を蓄積する番組情報蓄積ステップと、
１つ以上の番組の分野に対し、各分野に分類される１つ以上の単語を記憶する分類単語記憶ステップと、
前記分類単語記憶ステップにより記憶された単語で蓄積された前記番組情報を検索する検索ステップと、
前記検索ステップの検索結果に基づき蓄積された前記番組情報が対応する番組の分野を確定する確定ステップと、
番組の分野を指定する分野指定ステップと、
前記指定された番組の分野に合致する番組情報を前記確定ステップの確定結果に基づき選別する選別ステップと、
前記選別ステップにより選別された番組情報に対応する番組名を表示する提示ステップとを包含し、
前記分野指定ステップは、分野指定の入力が省略された場合には、曜日・時間帯毎に設定されたデフォルト値を指定分野とすることを特徴とする番組選択支援方法。
【請求項７】
番組の選択を補助する番組選択支援装置の番組選択支援方法であって、
番組に対する番組情報の入力を行なう番組情報入力ステップと、
前記入力した番組情報を蓄積する番組情報蓄積ステップと、
１つ以上の番組の分野に対し、各分野に分類される１つ以上の単語を記憶する分類単語記憶ステップと、
前記分類単語記憶ステップに記憶された単語で蓄積された前記番組情報を検索する検索ステップと、
前記検索手段の検索結果に基づき蓄積された前記番組情報が対応する番組の分野を確定する確定ステップと、
前記蓄積された番組情報に対応する番組名の表示を番組の分野が異なれば異なる表示態様で行う提示ステップとを包含することを特徴とする番組選択支援方法。
【発明の詳細な説明】
【技術分野】
【０００１】
本発明は、テレビやビデオなど家庭用ＡＶ機器において受信ないし録画する番組の選択を補助するための番組選択支援装置とその方法に関する。
【背景技術】
【０００２】
従来からテレビの番組放送予定表（以下番組表と呼ぶ）は一般視聴者に対して新聞や雑誌などの印刷物として提供されてきた。特に週刊など一定期間毎に発行される番組情報提供を主目的とした雑誌においては、単に各放送局の発表する番組表と内容紹介を掲載するだけでなく番組表において番組を分野別に分類して色分けしたり、特定期間に放送される特定分野の番組の一覧表を設けるなどして、雑誌購読者つまりテレビ番組視聴者の便宜をはかってきた。
【０００３】
またパソコン通信で番組情報を提供し、専用のプログラムをパソコン上で走らせることによって雑誌等で提供される情報の検索の便をはかるサービスも米国には存在する。
【０００４】
さらに多くのチャンネルを提供するＣＡＴＶにおいては各家庭のセットトップ受信機を利用してプログラムガイドを提供するサービスも始まりかけている。
【０００５】
一方テレビ放送においても特定分野の番組紹介を行う番組（例えば映画番組やスポーツ番組紹介など）を放映したりしている。
【０００６】
さらにテレビジョン文字多重放送（以下、文字放送と呼ぶ）において平成５年７月に「文字放送によるテレビジョン番組録画予約システムの規格（ＢＴＡ  Ｔ−００３）」が制定され、これを受けて番組情報を直接各家庭に配信するサービスが始まろうとしている。
【０００７】
さらには衛星放送のデータチャンネルを利用したデータ放送やＩＳＤＢによるサービス提供も検討されている。
【特許文献１】特開平４−７９０５３号公報
【発明の開示】
【発明が解決しようとする課題】
【０００８】
近年衛星放送やＣＡＴＶの普及の兆しを受けテレビの多チャンネル化が進んでおり、視聴者は自分の見たい番組の選択範囲が増える反面、見たい番組を探すの手間が増えてきている。
【０００９】
新聞や雑誌等では紙面の関係上一覧できる情報量（チャンネル数）に限界があり探す手間が増大してきている、さらにテレビを見るために新聞や雑誌といった他メディアを参照せねばならず視聴者の利用の便を阻害している。
【００１０】
放送による番組案内では一部の番組についてしか情報が提供されていないことおよびその放送時間が限定されているなどで十分とはいえない。
【００１１】
文字放送による番組情報提供は現行の文字放送の規格の範囲内で行うために、番組の開始・終了時刻と番組名等のみのごく簡単な情報しか提供されない。このため視聴者は所望の番組を探すのにかなりの手間を要することとなる。
【００１２】
今後複数のメディアによる番組情報の提供が始まった場合、それぞれの独自性を出すために異なった種類の情報形式とサービスが提供されることが考えられる。例えば地上波放送は文字放送によって、ＢＳデータ放送によってそれぞれの主放送の番組情報のみを提供する可能性もある。この場合視聴者は同じテレビを見るにも関わらず、地上波とＢＳの番組の区別なく見たい番組を探すのは面倒となる。
【課題を解決するための手段】
【００１３】
上記課題を解決するために本発明は、番組の選択を補助する番組選択支援装置であって、番組に対する番組情報の入力を行なう番組情報入力手段と、前記入力した番組情報を蓄積する番組情報蓄積手段と、１つ以上の番組の分野に対し、各分野に分類される１つ以上の単語を記憶する分類単語記憶手段と、前記分類単語記憶手段に記憶された単語で蓄積された前記番組情報を検索する検索手段と、前記検索手段の検索結果に基づき蓄積された前記番組情報が対応する番組の分野を確定する確定手段と、番組の分野を指定する分野指定手段と、前記指定された番組の分野に合致する番組情報を前記確定手段の確定結果に基づき選別する選別手段と、前記選別手段により選別された番組情報に対応する番組名を表示する提示手段とを備え、前記分野指定手段は、分野指定の入力が省略された場合には、曜日・時間帯毎に設定されたデフォルト値を指定分野とすることを特徴とする。
【００１４】
また、本発明は、番組の選択を補助する番組選択支援装置であって、番組に対する番組情報の入力を行なう番組情報入力手段と、前記入力した番組情報を蓄積する番組情報蓄積手段と、１つ以上の番組の分野に対し、各分野に分類される１つ以上の単語を記憶する分類単語記憶手段と、前記分類単語記憶手段に記憶された単語で蓄積された前記番組情報を検索する検索手段と、前記検索手段の検索結果に基づき蓄積された前記番組情報が対応する番組の分野を確定する確定手段と、前記蓄積された番組情報に対応する番組名の表示を番組の分野が異なれば異なる表示態様で行う提示手段とを備えることを特徴とする。
【発明の効果】
【００１５】
本発明の番組選択支援装置は番組名に含まれる単語からその分野を判定し、分野を分けて番組提示を行なうことにより、視聴者が選局する番組の選択を支援することができる。
【発明を実施するための最良の形態】
【００１６】
（実施の形態１）
図２は本発明における第一の実施の形態の構成を示すブロック図である、以下これを説明する。
【００１７】
１１はテレビ局が文字放送の番組として送信するテレビ放送の番組表を入力する番組情報入力手段、１２は各チャンネルの番組情報を蓄積する番組情報蓄積手段、２４は番組の分野毎にその分野の番組であることを示す単語を格納する分類単語記憶手段、２５は番組情報蓄積手段１２に記憶した番組名から単語検索を行う単語検索手段、２６は番組の分野を決定する分野確定手段、２８は番組名と番組の分野を表示する番組表提示手段である。
【００１８】
以下本実施の形態の動作を図３、図４を用いて説明する。
【００１９】
番組情報入力手段１１は文字放送で番組情報を提供しているチャンネルを順次選局して送られてくるテレビ番組情報を提供する文字多重放送番組から、テレビ番組毎にその放送チャンネル、放送日、開始・終了時間と番組名を抽出する。
【００２０】
番組情報蓄積手段１２は番組情報入力手段で抽出したテレビ番組毎の情報を蓄積する、また放送が終了したテレビ番組の番組情報は消去する。図３は番組情報蓄積手段１２に蓄積する番組情報の例の一部である。例えばこの第１項目は２チャンネルで７月１０日の午後２時から１５分まで「ニュースと解説」が放送されることを示している。
【００２１】
分類単語記憶手段２４は番組分野毎にその分野の番組であることを示す単語を格納する。図４は分類単語記憶手段２４に記憶する単語の一例である。例えば単語「サッカー」や「Ｊリーグ」はその単語を含む番組がスポーツ番組であることを示している。
【００２２】
単語検索手段２５は分類単語記憶手段２４に記憶した単語を一つずつ取り出し、番組情報蓄積手段１２に記憶した番組情報の番組名の欄を検索する。例えば分類単語記憶手段２４から単語「サッカー」を取りだした場合の検索では、図３の第３項目が検索される。
【００２３】
分野確定手段２６は上記の検索結果に基づき番組一つ一つの分野を決定する、例えば第３項目の番組はスポーツ分野の単語である「サッカー」、「Ｊリーグ」、「ガンバ」の検索でヒットするのでスポーツ分野の番組であると判定する。しかし第２項目の番組は検索に全くヒットしないので（分類単語記憶手段２４には「テレビ」、「電話」、「相談」等の単語を記憶していないものとする）、どの分野にも属さないと判定する。
【００２４】
番組表提示手段２８は特定の複数チャンネルの特定時間帯の番組情報を一覧表として表示する。この表示において、スポーツ分野の番組は水色で、映画分野の番組はピンク色で表示することとする。スポーツをみたい場合は番組表提示手段２８で水色の部分に注目して探し、映画をビデオで録画予約する場合はピンク色の部分に注目して探すことによって、視聴者は所望の番組を迅速に探すことが出来る。
【００２５】
番組表提示手段２８で表示する番組一覧表は専用の表示装置に表示する、テレビ画面にスーパーインポーズする等様々な実現方法があるが本発明の範囲を越えるので省略する。また番組一覧表に表示するチャンネルおよび時間帯の指定方法も本発明の請求の範囲を越えるので省略する。
【００２６】
また本発明の番組選択支援装置で見つけた番組にチャンネルを変更するないしその番組の録画予約登録を行う場合、テレビやビデオを従来からの方法で選局・録画予約登録を行う以外に、番組選択支援装置にスイッチを設け選局・予約登録したい番組に対応するスイッチを押すことで選局・予約登録できるようにするなどの方法もあるが、これも本発明の範囲を越えるので詳細は省略する。
【００２７】
また上記実施の形態において文字放送から番組情報を取り出す構成について説明したが、文字放送以外のテレビ放送・ＣＡＴＶの付随サービス例えば番組情報専用のデータ放送を受信するように構成してもよい。さらにモデムインターフェースを設けパソコン通信のホスト局に自動的に接続し番組情報を取得する様に構成するなどオンラインによって番組情報を入力する構成や、フロッピー（Ｒ）ディスクやＩＣカードなどの外部記憶装置を設け、この媒体を介して番組情報を入力する、ＯＣＲを設け既存の番組情報誌を読み込むなどのオフライン入力で番組情報を入力するよう構成も可能である。
【００２８】
さらに２つ以上の番組情報のための入力手段を持つ構成も可能である、例えば全てのチャンネルで文字放送が行われているわけではなく、また文字放送を行っているチャンネルであっても番組情報を提供する文字放送番組を放送しない場合もある、この場合文字放送からの番組情報入力とパソコン通信による番組情報の入力を組み合わせた構成も可能である。このように番組情報を複数メディアから入力する場合、それぞれ情報の形式と内容は異なる場合においても番組情報入力手段において同一の形に変換することで統一的に扱うことが出来る。
【００２９】
（実施の形態２）
次に本発明の第二の実施形態について図５のブロック図及び図３、図４を用いて説明する。本実施の形態の構成および各部の動作で第一の実施の形態と同様の番組情報入力手段、番組情報蓄積手段１２、分類単語記憶手段２４、単語検索手段２５、分野確定手段２６の説明は省略する。
【００３０】
１３はテレビで選局したい番組・ビデオで録画予約登録したい番組の分野を入力する分野入力手段、５８は分野別の番組情報を提示する分野別提示手段である。以下本実施の形態の動作を説明する。
【００３１】
分野入力手段１３は遠隔制御装置（リモコン）を設け分類単語記憶手段２４に記憶する単語の分野毎に対応するボタンを配置し、このボタンを押すことで分野を指定する。例えばスポーツ番組を放送するチャンネルを選局しようとする場合リモコンのスポーツボタンを押す。
【００３２】
単語検索手段２５は分野入力手段１３で指定した分野に対応する分類単語記憶手段２４に記憶した単語で番組情報蓄積手段１２に記憶した番組情報の番組名の欄を検索し、分野確定手段２６は分野入力手段１３から入力した分野の番組のみを選別する。例えば単語検索手段２５でスポーツボタンを押した場合、図５のスポーツに対応する単語「サッカー」「Ｊリーグ」「プロ野球」等を図４の番組名の欄から検索する。「サッカー」で検索する場合が図５の第３項目が検索され、「Ｊリーグ」で検索する場合も同じ項目が検索できるが、「プロ野球」で検索する場合は検索される項目はない。単語検索手段２５の検索に置いて複数の単語「サッカー」「Ｊリーグ」「ガンバ」で検索される項目があるが、分野確定手段２６ではこの重複をなくし同一の番組は一度だけ検索されたことにする。
【００３３】
分野別提示手段５８はこの検索された番組を提示する。例えば単語検索手段２５でスポーツボタンを押した場合図３の第３項目が提示される。
【００３４】
本実施の形態は第一の実施の形態と比べて、特定分野、例えばスポーツ番組や映画を選局したい場合に効果を発揮する。また本実施の形態と第一の実施の形態の両方の機能を合わせ持つように構成することも可能である。すなわち分野入力手段１３で分野を指定した場合は本実施の形態で説明した動作を行いそれ以外の場合は第二の実施の形態で説明した動作を行うようにするように構成する。
【００３５】
（実施の形態３）
次に本発明の第三の実施の形態について図６のブロック図と図３、図７を用いて説明する。
【００３６】
第一ないし第二の実施の形態と同じ部分の説明は省略する。
【００３７】
１４は番組の分野毎にその分野の番組であることを示す単語とその分類加重を格納する分類単語記憶手段、１５は分類単語記憶手段１４に記憶した単語で番組情報蓄積手段１２に記憶した番組情報の番組名の欄を検索する単語検索手段、１６は番組の分類加重を求め番組の分野を決める分野確定手段、１８は番組名と分野を表示する番組表提示手段である。
【００３８】
以下本実施の形態の動作を説明する。
【００３９】
図７は分類単語記憶手段１４の記憶内容の一例である。例えば第１項目は単語「サッカー」がスポーツ分野を示す単語でその分類加重が１００であることを示している。この分類加重の値が大きいほどその項目の単語を番組名に含む番組がその分野の番組である可能性が高いことを表す。つまり単語「ガンバ」を含む番組名より単語「サッカー」を含む番組名の方がその番組がスポーツ番組である可能性が高いことを示している。
【００４０】
単語検索手段１５は分類単語記憶手段１４に記憶した単語で番組情報蓄積手段１２に記憶した番組情報の番組名の欄を検索する。検索結果は分野確定手段１６で番組毎にまとめ、分野毎の分類加重の和を計算しその番組の分類加重とする。
【００４１】
分野入力手段１３で番組分野を指定し、この分野の分類加重が大きな番組順に番組表提示手段１８に表示する。
【００４２】
分野確定手段１６で番組の分類加重を求めるのにその番組名に含まれる単語の分類加重の和を計算したが、これに限るものではない。上記の方法は番組名が長い方が多くの単語を含み番組の分類加重が大きくなる傾向にある、これを補正するため例えば単語の分類加重の最大値を番組の分類加重とする等の方法がある、なお補正の方法もこれに限ったものでない。
【００４３】
なお分野入力手段１３での分野の入力を省略し、番組をその分野毎の分類加重に応じた色をつけて第一の実施の形態の番組表提示手段２８と同様に本実施の形態の番組表提示手段１８に表示するよう構成してもよい。例えばスポーツ分野の分類加重が２００以上の番組は青色で２００未満１００以上の番組は水色で表示する、また映画分野の分類加重が２００以上の番組は赤で、２００未満１００以上の番組はピンク色で表示する。この場合スポーツ番組の録画予約登録をおこなおうとする場合まず青色の部分に注目して所望の番組を探し、見つからないときは水色の部分を探せばよい。またこの色分けの閾値を変更する手段を設けることもできる。
【００４４】
また分野入力手段１３での分野の入力を省略した場合、曜日・時間帯毎にデフォルトの分野を設けその分野を入力したこととしてもよい。例えば水曜日と土曜日の昼間はスポーツ、全曜日の午後１１時以降は映画をデフォルトの分野と設定したとすれば、Ｊリーグサッカーや深夜映画を録画予約する場合分野入力手段１３での分野の入力を省略することができる。また本発明の装置をテレビ受像機ないしビデオに組み込んだ装置においてチャンネルを合わせた番組ないし予約録画を行った番組の分野を自動的に収集し、曜日・時間帯毎に最もよく視聴した・予約録画を行った分野をデフォルトの分野とすることもできる。
【００４５】
（実施の形態４）
次の本発明の第四の実施の形態について図１のブロック図と図３、図７、図８を用いて説明する。第三の実施の形態と同じ部分の説明は省略する。
【００４６】
１７は分類加重更新手段であり、分野確定手段１６で求めた番組の分類加重が予め定めた一定の値以上の番組に対してこの番組名を単語に分解し、これらの単語毎にその単語のみを含まない番組名が存在した場合の番組の分類加重を求めその１分（１００分の１して四捨五入した値）を分類単語記憶手段１４にその単語が記憶されている場合はその分類加重に加え、その単語が記憶されてない場合は追加記憶する。
【００４７】
例えば図３の第３項目の番組のスポーツ分類について詳しく説明する。この番組に含まれるスポーツ分野の分類単語は図７より「サッカー」「Ｊリーグ」と「ガンバ」で、それぞれの分類加重は１００、９０、６０であるから番組の分類加重はこれらの和の２５０となる。まず「サッカー」についてこの単語のみを含まない番組名『Ｊリーグ「ガンバ×ジュビロ」』の分類加重は１５０となり、この１００分の１（を小数以下で四捨五入した値）の２を単語「サッカー」の分類加重１００に加え分類加重は１０２となる。単語「ジュビロ」についてはこの単語のみを含まない番組名『サッカーＪリーグ「ガンバ×」』の分類加重は２５０となり、この１分３を単語「ジュビロ」の分類加重として分類単語記憶手段１４に追加記憶する。他の単語に対しても同様の操作を行う。これらの操作が終了した時点での分類単語記憶手段１４の記憶内容は図８の通りとなる。
【００４８】
ここで分類単語記憶手段１４の更新は一定期間毎、例えば１日分の更新を深夜に一斉に行ってもよい。さらに全ての番組の分類加重計算で分類単語記憶手段１４の更新を行うのではなく、実際に選局・録画予約を行った番組についてのみ更新を行うこととしてもよい。また分類加重の更新は上記の例で説明した方法に限るものではない。
【００４９】
また分類単語記憶手段１４の容量が不足する場合、分類加重を一斉に同一量減じ、０以下になった単語を消去するようにしてもよい。
【００５０】
さらに分類単語記憶手段１４の内容を外部から入力する手段を設け、番組名に使われる単語の変遷に対応出来るようにもでき、逆にこの内容を出力する手段も設け別の本発明の装置に入力することで複数の装置の動作を同じにすることも出来る。
【００５１】
本実施の形態は第三の実施の形態に比べ予め登録した単語だけでなく実際に視聴・予約録画した番組名を元に更新されていくので番組の分野分類の性能向上が期待できる。
【００５２】
上記すべての実施の形態において分野は「スポーツ」「映画」などの一般的な分野に限るものではない、例えば「特定の視聴者がよくみる番組」といった分野や「特定の人物」といった分野を設けることもできる。
【００５３】
また第四の実施の形態の装置にチャンネルを合わせたないし予約録画を行った番組を入力し「よくみる番組」といった分野の番組として分類加重を更新するようにすると実際によく視聴・予約録画している番組が「よくみる番組」の分野として番組表提示手段１８に表示される。これは特開平７−１３５６２１号の発明による選局方法を本発明の装置に適応したものであり、本発明と前記出願の発明を同一の装置で実現することもできる。
【産業上の利用可能性】
【００５４】
本発明は、テレビやビデオなど家庭用ＡＶ機器において受信ないし録画する番組の選択を補助するための番組選択支援装置に関する。
【図面の簡単な説明】
【００５５】
【図１】本発明の第四の実施の形態の構成を示すブロック図
【図２】本発明の第一の実施の形態の構成を示すブロック図
【図３】番組情報記憶手段の内容を説明するための図
【図４】第一および第三の実施の形態における分類単語記憶手段の記憶内容の一例を示す図
【図５】本発明の第二の実施の形態の構成を示すブロック図
【図６】本発明の第三の実施の形態の構成を示すブロック図
【図７】第三および第四の実施の形態における分類単語記憶手段の記憶内容の一例を示す図
【図８】第四の実施の形態において分類加重更新手段の動作を説明するための図
【符号の説明】
【００５６】
１１    番組情報入力手段
１２    番組情報蓄積手段
１３    分野入力手段
１４，２４    分類単語記憶手段
１５，２５    単語検索手段
１６，２６    分野確定手段
１７    分類加重更新手段
１８，２８    番組表提示手段
５８    分野別提示手段
【図１】
2004289861.tif 000003
【図２】
2004289861.tif 000004
【図３】
2004289861.tif 000005
【図４】
2004289861.tif 000006
【図５】
2004289861.tif 000007
【図６】
2004289861.tif 000008
【図７】
2004289861.tif 000009
【図８】
2004289861.tif 000010